【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
少なくとも一つのチューブを患者に装着固定するブライドル装置において、
第１鼻孔に挿入する第１端部、及び、第２端部をもつ可撓性部材と、
前記第１端部内に実質的に固着した磁石と、
第２鼻孔に挿入され、前記磁石を吸着すると共に前記磁石及び前記可撓性部材の第１端部を引き出す磁気プローブと、
固定器具と
を有することを特徴とするブライドル装置。
【請求項２】
前記可撓性部材が管状部材で、そしてさらに前記管状可撓性部材にロッドを挿入して、前記可撓性部材の第１鼻孔への挿入時に前記可撓性部材の剛性を強化する請求項１記載の少なくとも一つのチューブを装着固定するブライドル装置。
【請求項３】
一体成形の固定器具群から前記固定器具を選択する請求項１記載の少なくとも一つのチューブを装着固定するブライドル装置。
【請求項４】
少なくとも一つのチューブを患者に装着固定するブライドル装置において、
第１鼻孔に挿入する第１端部、及び、第２端部をもつ可撓性部材と、
前記可撓性部材の第１端部内に包まれた磁石と、
第２鼻孔に挿入され、前記磁石を吸着すると共に前記磁石及び前記可撓性部材の第１端部を引き出す磁気プローブと、
固定器具と
を有することを特徴とするブライドル装置。
【請求項５】
一体成形の固定器具群から前記固定器具を選択する請求項４記載の少なくとも一つのチューブを装着固定するブライドル装置。
【請求項６】
請求項１記載の少なくとも一つのチューブを装着固定するブライドル装置において、前記固定器具は、前記少なくとも一つのチューブ、前記部材の第１端部、前記部材の第２端部の少なくとも一つを固定する装置。
【請求項７】
請求項１記載の少なくとも一つのチューブを装着固定するブライドル装置において、前記固定器具は、前記少なくとも一つのチューブ及び前記部材の第１端部と第２端部を固定する装置。
【請求項８】
請求項２記載の少なくとも一つのチューブを装着固定するブライドル装置において、前記固定器具は、前記少なくとも一つのチューブ、前記部材の第１端部、前記部材の第２端部の少なくとも一つを固定する装置。
【請求項９】
請求項２記載の少なくとも一つのチューブを装着固定するブライドル装置において、前記固定器具は、前記少なくとも一つのチューブ及び前記部材の第１端部と第２端部を固定する装置。
【請求項１０】
請求項４記載の少なくとも一つのチューブを装着固定するブライドル装置において、前記固定器具は、前記少なくとも一つのチューブ、前記部材の第１端部、前記部材の第２端部の少なくとも一つを固定する装置。
【請求項１１】
請求項４記載の少なくとも一つのチューブを装着固定するブライドル装置において、前記固定器具は、前記少なくとも一つのチューブ及び前記部材の第１端部と第２端部を固定する装置。
【請求項１２】
請求項５記載の少なくとも一つのチューブを装着固定するブライドル装置において、前記固定器具は、前記少なくとも一つのチューブ、前記部材の第１端部、前記部材の第２端部の少なくとも一つを固定する装置。
【請求項１３】
請求項５記載の少なくとも一つのチューブを装着固定するブライドル装置において、前記固定器具は、前記少なくとも一つのチューブ及び前記部材の第１端部と第２端部を固定する装置。
【請求項１４】
少なくとも一つのチューブを患者に装着固定する方法において、
前記少なくとも一つのチューブを第１鼻孔又は第２鼻孔に挿入する工程と、
磁石を実質的に内部に固着した可撓性部材の一端部を第１鼻孔に挿入する工程と、
磁気プローブを第２鼻孔に挿入し、前記磁石を吸着する工程と、
前記第２鼻孔から前記プローブを抜き取り、これによって前記可撓性部材の前記端部を第２鼻孔から引き出す工程と、
前記少なくとも一つのチューブを固定する工程と
を有することを特徴とする方法。
【請求項１５】
一体成形の固定器具群から、ある固定器具を選択的に取り出し、前記固定工程に使用する請求項１４記載の少なくとも一つのチューブを患者に装着固定する方法。
【請求項１６】
前記少なくとも一つのチューブを固定する工程は、前記チューブを前記固定器具のチャネルにスナップ嵌めする請求項１４記載の少なくとも一つのチューブを患者に装着固定する方法。
【請求項１７】
少なくとも一つのチューブを鼻を介して患者に装着固定する方法において、
前記少なくとも一つのチューブを第１鼻孔又は第２鼻孔に挿入する工程と、
磁石を内部に包んだ可撓性部材の一端部を第１鼻孔に挿入する工程と、
磁気プローブを第２鼻孔に挿入し、前記磁石及び前記可撓性部材の前記端部を吸着する工程と、
前記第２鼻孔から前記プローブを抜き取り、これによって前記可撓性部材の前記端部を前記第２鼻孔から引き出す工程と、
前記少なくとも一つのチューブを固定器具に形成したチャネルにスナップ嵌めする工程と
を有することを特徴とする方法。
【請求項１８】
さらに、前記少なくとも一つチューブのサイズに応じて一体成形の固定器具群から前記固定器具を選択的に取り出し、前記固定工程に使用する請求項１７記載の少なくとも一つのチューブを鼻を介して患者に装着固定する方法。
【請求項１９】
請求項１４記載の少なくとも一つのチューブを患者に装着固定する方法において、前記少なくとも一つのチューブを固定する工程は、前記部材の端部を固定することを含む方法。
【請求項２０】
請求項１７記載の少なくとも一つのチューブを鼻を介して患者に装着固定する方法において、さらに前記可撓性部材の少なくとも一端部を前記固定器具で固定する工程を含む方法。
【手続補正２】
【補正対象書類名】明細書
【補正対象項目名】００１８
【補正方法】変更
【補正の内容】
【００１８】
図３の斜視図に、患者の第２鼻孔に挿入され、磁石１３を吸着し、可撓性チューブ１０の端部１２を引き出す磁気プローブ２０を示す。本発明の好適な実施態様では、磁気プローブ２０は、第１端部２２に強力な希土類磁石２０、即ち強磁性シリンダを取り付けた、比較的径の小さい剛性あるいは半剛性を示す、プラスチックシリンダまたはゴムシリンダで構成する。また、プローブ２０のサイズについては、プローブ内に磁石２１が一体的に固定されるように、磁石を２１圧力嵌め方式で受け取ることができるサイズ、または磁石２１の回りにプローブ２０を一体成形できるサイズにするのが好ましい。なお、本発明の場合、接着剤、接着テープなどを利用して、磁石２１をプローグ２０の端部に固定する他の方法を使用することは可能である。可撓性チューブ１０の端部１２に固定された磁石１３を吸着するために、磁石２１の磁極は、磁石１３と対極のものが選択される。磁気プローブ２０の長さについては、施療者の手や適当な器具で把持された状態で、鼻孔から後鼻孔をちょうど超える程度に長くなければならない。


【手続補正３】
【補正対象書類名】明細書
【補正対象項目名】００２２
【補正方法】変更
【補正の内容】
【００２２】
図５に最良の図示を与えるように、好ましい実施態様における３つのチャネル３０および３２は非線形である。換言すれば、チャネル３０の軸線Aは、チャネル３２の軸線に対して引いた直線Lから距離Dだけずれている。本発明の重要な特徴であるこれによって、固定器具２４を線形構成を利用する固定器具より小さく構成でき、患者に対する侵襲性を低く抑えることができる。また、この好ましい固定器具の別な作用効果についていえば、外面を円形または一定の形状に形成してあるため、患者に対する接触面が平滑になり、刺激を与えることはない。さらに、別な、場合によってはサイズの大きい（図示せず）を受け取る別な凹部、即ちチャネル３７を例えば外面Sに形成してある。このように構成してあるため、場合によっては直径の大きい第２の経鼻管（図示していない）を例えばプラスチック結合ストラップを使用して、固定器具２４の外面に簡単に固定できる。このストラップは、固定器具２４に一体化すると、固定が容易になる。なお、本発明の場合、スナップ嵌め凹部またはチャネル、接着剤、テープなどの、チューブを固定器具２４に固定する他の方法を利用することは可能である。


【手続補正４】
【補正対象書類名】図面
【補正対象項目名】図３
【補正方法】変更
【補正の内容】
【図３】
2004508108.tif 000001